(57)【要約】      （修正有）【課題】生活に潤いを与える生花は誰しもが好むものであるが、生花を花器に入れて維持するには毎日もしくは数日ごとに花器の水を入れ替えることが必要であり、こまめに水の取り換えができれば問題はないが、長く家を不在する場合には水の入れ替えができず、生花は水不足が原因となって枯れてしまうという問題があった。【解決手段】アダプター的に花器１６の花入れ口に差し込んで、花器を簡単に自動給水花器化する円筒容器構造の花差し具であって、円筒容器構造をした花差し具の上部外周面に沿って密着取り付けしたリング状の弾性体３によって、花器の花入れ口を閉塞し、花器内部に水と空気を閉じこめて密閉空間を形成し、当該空気と水を花差し具と連通させて、密閉空間内の空気と外気のバランスによって、生花を入れる花差し具内部の花入れ空間の水位が一定になるように、花器内部の水を自動給水する仕組みで花器の自動給水花器化に供する花差し具である。【選択図】図１
2012213368.tif 000002
【特許請求の範囲】
【請求項１】
花器に差し込んで用いる円筒容器構造の花差し具であって、
１円筒内周面に水位調節ダクトを備えた縦長円筒、２フランジ形状の鍔を上部に備えた鍔円筒、３多数の貫通孔を表面に有する円盤状の網蓋、４内部に底面を貫通する湧水管と外周面下端部に複数のＵ字切り欠けを備えた上げ底容器、５縦長円筒の上部外周面に沿って巻き付けるように密着して装着するリング状の弾性体、の１から５の部材で構成されており、主体となるの縦長円筒は内周面の上・下端部に雌ネジ構造、外周面の上部に廻り縁、廻り縁直下に外周面を貫通する連絡孔、内周面にあって連絡孔に連通する水位調節ダクトを備えている。
また、縦長円筒の外周面の上部には、扁平な逆円錐台の中央に縦長円筒の外径に適合した口径の貫通穴を備えてリング状にした弾性体を上端から差し込むようにして密着取り付けするとともに、当該弾性体の上面を押さえるようにして、縦長円筒の上端部にフランジ状の鍔を備えた鍔円筒の下端部外周面に備えた雄ネジ構造を縦長円筒の内周面上端部の雌ネジ構造に螺合させて取り付け、弾性体を鍔と廻り縁で挟むようにして縦長円筒の外周面に固定する。
また、縦長円筒の下端部には、多数の貫通孔を表面に有するストレーナ状の円盤の縁外周側面に雄ネジ構造を備えた網蓋を螺合取り付けするとともに、縦長円筒下端からはみ出た網蓋の縁外周側面の雄ネジ構造に、上端が網蓋下で下端が底面下で開口する湧水管を底面に備えるとともに、底面下となる外周面下端部に複数のＵ字切り欠けを備えた上げ底容器の上端部内周面の雌ネジ構造を螺合取り付けして底部を形成し、円筒容器構造を特徴とする花差し具。
【請求項２】
請求項１記載の花差し具を構成する縦長円筒の内周面に形成するダクト状の小空間構造
であって、円筒の内部空間を、貫通孔にゴム栓を施して閉塞した水位調節孔を複数備えた隔壁によって間仕切り、隔壁と縦長円筒内周面の一部で囲まれた縦長の小空間の上端を閉塞したダクト状の小空間で、当該小空間上部は縦長円筒に設けた連絡孔に連通しており、下端の開放口で外気に連通するだけでなく、隔壁に施したゴム栓を脱栓することによって、開放口よりも高い位置にある複数の水位調節孔を外気に追加連通させることができる構造を持ったダクト状の小空間構造を特徴とする水位調節ダクト。
【請求項３】
継ぎ長さ可変構造の円筒からなる請求項１記載の花差し具の補助部材であって、花差し
具を構成する縦長円筒と同じ外径、内径、廻り縁を備え、外周面下部に、管接続部を下端に備えた連絡管とともに。管を固定する管固定部を備え、内周面に縦長円筒と同じ雌ネジ構造を備えた円筒であり、円筒内部に内周面の雌ネジ構造に螺合する雄ネジ構造を外周面に備えた接続円筒を螺合収容し、接続円筒を回転させて螺合長さを変えることによって円筒全体の長さを調節する、継ぎ長さ可変構造の円筒を特徴とする花差し具補助継ぎ円筒。
【請求項４】
花器の花入れ口に装着固定する円環形状をした花差し具の補助部材であって、滑らかな
表面を持つ材料で形成し、外径は花入れ口の口径に適合し、内径は花差し具を構成する弾性体の外径に適合した大きさで断面がくの字状をした円環形状の固定枠あることを特徴とする花差し具の補助固定枠。
【請求項５】
広口花器の花入れ口に装着固定するドーナツ状の円盤に支持円筒を取り付けた形状を持
つ花差し具の捕助部材であって、円盤は花入れ口に適合した外径を持ち、上面中央に花差し具の弾性体の外径に適合した口径の貫通穴、外周側面にくの字状の溝を備えた円盤に、花器の内部高さに適合した高さで内径が円盤の貫通穴と同じ口径を持つ円筒の外周壁下部を三脚状に加工した支持円筒を貫通穴と同心状にして下面に取り付け、円筒の一端に鍔を取り付けた構造を特徴とする花差し具の固定鍔枠。
【発明の詳細な説明】
【技術分野】
【０００１】
本発明は、上面に花入れ口を持つ一般的な花器を自動給水花器化する花差し具に関する。
【背景技術】
【０００２】
生花を花器に入れて維持するには、毎日もしくは、数日ごとに、花器の水を入れ替えることが従来から行われてきた。しかしながら、長く不在する場合には水の入れ替えが出来ず、生花は枯れてしまった。
この問題を解決するために、たとえば次の特許文献に示すように、花器の外部からサイホン作用で自動的に補水を適時用水内に補充する生花用の自動給水容器や、 花器に給水部を差し込んで、自動給水する献花用自動給水器がある。
ほかに、貯水タンクと花瓶を一体化して自動給水に利用する花筒自動給水装置や、花瓶の側周部を密閉二重構造にし、その部分に貯水した水を自動給水に利用する自動給水機能を持つ花瓶もある。
【先行技術文献】
【特許文献】
【０００３】
【特許文献１】特開２００６−８７４１３広報
【特許文献２】特開平９ー４７１６８広報
【特許文献３】特開２００２−２２３６４７広報
【特許文献４】特開２００４−６５２２２広報  このような問題に対して、花器の外部から、サイホン作用で自動的に用水に補水する（特許文献１）の生花用の自動給水容器は、生花入れとなる花器が大きい場合は、当該生花用の自動給水容器で補水できるが、一般家庭で使用する花器は小さいので、生花用の自動給水容器を家庭で使用する一般用花器として使用するのは困難である。また献花のような比較的背丈の高い花については、献花用花入れに自動給水器の給水部を差し込んで自動給水する（特許文献２）の献花用自動給水器があるが、献花に比して、一般の花器に入れる生花は背丈も小さく切るため、献花用自動給水器に比べて、家庭で使用する一般用花器が小さいので、献花用自動給水器の給水部を家庭で使用する一般用花器に差し込むことは大きさの点で難しく、また当該給水部が差し込まれることで、自動給水器を含む花器全体の重心が高くなり転倒し易くなるなどのことから、一般家庭の花器に使用するには不向きである。
【０００４】
ほかに、貯水タンクと花瓶を一体化した（特許文献３）花筒自動給水装置があるが、花瓶の役割をしている花筒の上に貯水タンクを載せて一体化をしているので、背が高く、上部が大きく重いのに比べて底面積が小さいので、差込固定する墓石の花器には適するが、置くだけの一般的な花器としては、その高さと不安定さから不向きである。
このほか、花器の側壁を二重構造にした（特許文献４）自動給水機能を持つ花瓶があるが、貯水部となる二重構造の側壁による密閉空間の内壁側を開放出来ないので、使用に伴い付着する水垢を除去することが困難であり、また水の給水口が底面にあるため、給水の度に生花を抜き、花瓶をひっくり返す必要があるなど、取り扱い上の不便さがある。
【０００５】
また、（特許文献１）、（特許文献２）の発明は花入れ容器はそのままで、給水を外部から行う仕組みに関する発明であり、大きさや構造に問題があるが、（特許文献３）、（特許文献４）の発明は花入れ容器自体に自動給水機能を持たせる発明なので、既存の花器には使用できないなどの問題点がある。
【発明の開示】
【発明が解決しようとする課題】
【０００６】
しかしながら、元来、花器は生花とともに美的空間を醸成する役割が大きく、花器のみで美的空間を醸成する場合も多々ある。一般の花器だけでなく、仏花器にあっても同様であり、前述した花器では、大きさや形から花器を置いた周囲の美的空間を損なう可能性が高いこと、設置するために花器の外に新たなスペースを必要とすること、既存の花器には使用出来ないこと、などの点で問題があった。
本発明は、花器周りの美的空間を損なうことなく、花器の新造、既存にかかわらず、花器の花入れ口に簡易に押圧挿入するだけで、花器に自動給水機能を付加することができる花差し具の提供を目的とする。
【課題を解決するための手段】
【０００７】
請求項１記載の花差し具は、花器に差し込んで用いる円筒容器構造の花差し具であって、１円筒内周面に水位調節ダクトを備えた縦長円筒、２フランジ形状の鍔を上部に備えた鍔円筒、３多数の貫通孔を表面に有する円盤状の網蓋、４内部に底面を貫通する湧水管と外周面下端部に複数のＵ字切り欠けを備えた上げ底容器、５縦長円筒の上部外周面に沿って巻き付けるように密着して装着するリング状の弾性体、の１から５の部材で構成されており、主体となるの縦長円筒は内周面の上・下端部に雌ネジ構造、外周面の上部に廻り縁、廻り縁直下に外周面を貫通する連絡孔、内周面にあって連絡孔に連通する水位調節ダクトを備えている。
【０００８】
また、縦長円筒の外周面の上部には、扁平な逆円錐台の中央に縦長円筒の外径に適合した口径の貫通穴を備えてリング状にした弾性体を上端から差し込むようにして密着取り付けするとともに、当該弾性体の上面を押さえるようにして、縦長円筒の上端部にフランジ状の鍔を備えた鍔円筒の下端部外周面に備えた雄ネジ構造を縦長円筒の内周面上端部の雌ネジ構造に螺合させて取り付け、弾性体を鍔と廻り縁で挟むようにして縦長円筒の外周面に固定する。
【０００９】
さらにまた、縦長円筒の下端部には、多数の貫通孔を表面に有するストレーナ状の円盤の縁外周側面に雄ネジ構造を備えた網蓋を螺合取り付けするとともに、縦長円筒下端からはみ出た網蓋の縁外周側面の雄ネジ構造に、上端が網蓋下で下端が底面下で開口する湧水管を底面に備えるとともに、底面下となる外周面下端部に複数のＵ字切り欠けを備えた上げ底容器の上端部内周面の雌ネジ構造を螺合取り付けして底部を形成し、円筒容器構造として前記項目を達成する。
【００１０】
請求項２記載の水位調節ダクトは、請求項１記載の花差し具を構成する縦長円筒の内
周面に形成するダクト状の小空間構造であって、円筒の内部空間を、貫通孔にゴム栓を施して閉塞した水位調節孔を複数備えた隔壁によって間仕切り、隔壁と縦長円筒内周面の一部で囲まれた縦長の小空間の上端を閉塞したダクト状の小空間で、当該小空間上部は縦長円筒に設けた連絡孔に連通しており、下端の開放口で外気に連通するだけでなく、隔壁に施したゴム栓を脱栓することによって、開放口よりも高い位置にある複数の水位調節孔を外気に追加連通させることができる構造を持ったダクト状の小空間構造として前記項目を達成する。
【００１１】
請求項３記載の花差し具の補助継ぎ円筒は、継ぎ長さ可変構造の円筒からなる請求項１
記載の花差し具の補助部材であって、花差し具を構成する縦長円筒と同じ外径、内径、廻り縁を備え、外周面下部に、管接続部を下端に備えた連絡管とともに。管を固定する管固定部を備え、内周面に縦長円筒と同じ雌ネジ構造を備えた円筒であり、円筒内部に内周面の雌ネジ構造に螺合する雄ネジ構造を外周面に備えた接続円筒を螺合収容し、接続円筒を回転させて螺合長さを変えることによって円筒全体の長さを調節する、継ぎ長さ可変構造の円筒として前記項目を達成する。
【００１２】
請求項４記載の花差し具の補助固定枠は、花器の花入れ口に装着固定する円環形状をし
た花差し具の補助部材であって、滑らかな表面を持つ材料で形成し、外径は花入れ口の口径に適合し、内径は花差し具を構成する弾性体の外径に適合した大きさで断面がくの字状をした円環形状の固定枠として前記項目を達成する。
【００１３】
請求項５記載の花差し具の補助固定鍔枠は、広口花器の花入れ口に装着固定するドーナ
ツ状の円盤に支持円筒を取り付けた形状を持つ花差し具の捕助部材であって、円盤は花入れ口に適合した外径を持ち、上面中央に花差し具の弾性体の外径に適合した口径の貫通穴、外周側面にくの字状の溝を備えた円盤に、花器の内部高さに適合した高さで内径が円盤の貫通穴と同じ口径を持つ円筒の外周壁下部を三脚状に加工した支持円筒を貫通穴と同心状にして下面に取り付け、円筒の一端に鍔を取り付けた構造の固定鍔として前記項目を達成する。
【発明の効果】
【００１４】
本発明の花差し具を単独または補助部材と組み合わせることで、花器の形状や大きさに
影響されることなく、上面に花入れ口を有する花器であれば、既存の花器であっても新規
製作の花器でも容易に自動給水花器化することが出来る。
本発明の花差し具に適合する花器と当該花差し具を共に規格化することによって、大量生産による低コストの自動給水花器を実現することができ、補助部材との組み合わせによって、規格化対象外の花器にも規格化した花差し具を適用する事が出来るので、規格化対象外の花器も低コストで自動給水花器化することが出来る。
【００１５】
本発明の花差し具を使用して自動給水花器を構成すると、花器自体に貯水された水が生花に対し、ほぼ一定の水位を保つように自動給水されるので、生花が一日に蒸散する水量に等しい水位に設定することで、花器に水を毎日新しく追加するのと同じ効果があり、手間をかけることなく、生花の寿命を長く保つことが出来る。
本発明の花差し具は、構成している各部分がバラバラに分解出来るので、長期間使用して、内部に汚れが多量に付着し、雑菌が繁殖した場合でも、容易に分解清掃して除去出来る構造としている。また、各部の損耗についても部分取り替えが出来るメンテンナンスを考慮した構造にしているので、長期間使用することが出来る。
【図面の簡単な説明】
【００１６】
【図１】本発明の花差し具の外観図（正面）
【図２】本発明の花差し具の外観図（右側面）
【図３】花差し具の花器への挿入状況図（途中図）
【図４】花差し具の花器への挿入状況図（完了図）
【図５】実施例１の花差し具の分解構成図
【図６】実施例２で変形した部材の分解構成図
【図７】実施例３で変形した部材の分解構成図
【図８】実施例４で変形した部材の分解構成図
【図９】実施例５で変形した部材の分解構成図
【図１０】実施例６の花差し具Ｄの外観図
【図１１】実施例６の花差し具Ｄの分解構成図
【図１２】花差し具の補助継ぎ円筒の外観図
【図１３】花差し具に花差し具の補助継ぎ円筒を装着した状態図
【図１４】花差し具の補助固定枠
【図１５】花差し具の補助固定枠装着図
【図１６】花差し具の補助固定鍔枠
【図１７】花差し具の補助固定鍔枠装着図
【発明を実施するための形態】
【００１７】
本発明にかかる実施形態について、実施例をあげ図１ないし図１７の添付図を参照して説明する。
【００１８】
本発明にかかる花差し具の外観図を図１、図２に示す。図１は正面からの外観図、図２は右側面からの外観図である。
図１、２おいて、１は鍔円筒、２は縦長円筒、３は弾性体、４は廻り縁、５は隔壁、６は上げ底容器、７は水位調節孔、８は連絡孔、９は湧水管、１０は網蓋、１１は水位調節ダクト、１２は花入れ空間、１３はＵ字切り欠け、１４は老廃物沈殿空間、１５はゴム栓である。
図５は花差し具の分解構成図である。
同図で（Ａ）は鍔円筒１の外観図と正面図、（Ｂ）は弾性体３の外観図と正面図、（Ｃ）は縦長円筒２の外観図と平面図、（Ｄ）は上げ底容器６の外観図と正面図、（Ｅ）は網蓋１０の平面図と正面図、（Ｆ）はゴム栓１５の平面図と正面図と外観図である。
【実施例１】
【００１９】
実施例１は、図１、２、の外観図と図５の分解構成図に示したように、上・下端が開口し外周面の上部に側壁を貫通する連絡孔８とその直上の外周面を取り巻く廻り縁４、円筒上・下端の開口部の内周面に沿う雌ネジ構造を備えた縦に長い円筒に、互いに高さが異なる複数の貫通孔にゴム栓１５を施して閉塞状態にした水位調節孔を表面に備えた平板を隔壁５として、円筒の内部空間の一部を間仕切り、連絡孔８を含む円筒内周面の一部と隔壁５で囲まれた半円パイプ状の縦長小空間を円筒の内部に形成し残りの大部分を占める内部空間を花入れ空間１２として生花を差し入れる空間とする。
また、小空間の上部は閉塞して連絡孔８を上部、開放口を下部をとする半円パイプ状の縦長小空間を形成し、それを構成する隔壁の表面に有するゴム栓１５で閉塞状態にした複数の貫通孔を水位調節孔７とする円筒の内周面に縦に形成した水位調節ダクト１１などで構成する。
【００２０】
逆円錐台の中央に縦長円筒２の外径に適合した口径の貫通穴をあけてリング状にした弾性体３を縦長円筒２の上端から押し込むようにして縦長円筒２の外周面の上部に密着取り付けするとともに、当該弾性体３の下面が廻り縁４の上面に接触するまで押し込み、弾性体３の上面を押しつけるように鍔円筒１の下端部外周面に沿った雄ネジ構造を縦長円筒２の上端開口部の内周面に備えた雌ネジに螺合取り付けし、弾性体３を廻り縁の上面と鍔円筒の鍔下面で挟んで縦長円筒２の外周面上部に固定して、花差し具を花入れ口に挿入した時に弾性体３が大きく変形して花入れ口との間に間隙が生じることがないようにしている。
【００２１】
次に網蓋１０の外周側面の雄ネジ構造を縦長円筒２下端の開口部の内周面に沿った雌ネジ構造に螺合取り付けして、縦長円筒２内部の花入れ空間１２のストレーナの役割をする網蓋底を形成し、縦長円筒２からはみ出た、網蓋１０の外周側面で未螺合の雄ネジ部に、上げ底容器６の上端開口部の内周面に沿った雌ネジ構造を螺合させ、上げ底容器６を網蓋１０を介して縦長円筒２に取り付け、円筒容器構造の花差し具１８を構成する。
ここで、製造に際しては、縦長円筒２の内周面に形成する水位調節ダクトは、成形によって、円筒製作の最初の段階から円筒内部に形成できるような型を使用して、廻り縁や連絡孔、上下端の雌ネジ構造も同時に成形する。同じく鍔円筒１の鍔と雄ネジ構造、上げ底容器６の内部に具備する湧水管、底壁下端部のＵ字切り欠け、網蓋１０の雄ネジ構造や表面の多数の孔も同様に型による成形で製作し、同じく弾性体も成形で製作する。
【実施例２】
【００２２】
実際に、花差し具１８を花器に押圧挿入した場合の状況図を図３、４に示す。ここで、図３は水を貯水した花器の花入れ口に花差し具１８を挿入する途中の状況図である。図４はその完了図である。図のなかで、１６は花器、１７は花差し具の補助固定枠、１８は花差し具、１９は花入れ口、２０は密閉空間である。
【００２３】
本実施例２は、花差し具１８を構成する、縦長円筒２と上げ底容器６の結合に係る構造と網蓋１０の構造に係る変形例であって、縦長円筒２の高さを高くして下端にＵ字切り欠けを設けた縦長円筒Ａ、上げ底容器６の内周面の雌ネジ構造を除去した上げ底容器Ａ、網蓋の外周側面のネジ構造を除去して縦幅を薄くし外周縁の上面に鍔を取り付けた網蓋Ａに係る変形である。
【００２４】
実施例１に対する実施例２の変形箇所を図６に示す。同図で、（Ｃ）は縦長円筒Ａの外観図と平面図、（Ｄ）は上げ底容器Ａの正面図と平面図、（Ｅ）は網蓋Ａの平面図と正面図である。
【００２５】
図１，２に示したように、実施例１では網蓋１０のネジ構造を介して縦長円筒２と上げ
底容器６を螺合結合するが、実施例２では図６に示したように、縦長円筒の側壁下端部に直接Ｕ字切り欠け１３を設けた構造に変形した縦長円筒Ａに、上げ底容器の内周面上を底面中心となる湧水管９の開口部を挟んで平行に取り付けるとともに、外径を縦長円端部の雌ネジ構造を除去するとともに上げ底部の側壁を除去して、底面下に２つの直方体筒Ａの内径に適合する大きさに縮小した構造の上げ底容器Ａの上端部開放口に、網蓋外周側面の雄ネジ構造を除去して側面の幅を薄くするとともに外周縁の上面に鍔を取り付け、縦長円筒Ａの内径に適合する大きさの外径に変形した網蓋Ａをはめ込み、縦長円筒Ａの下端の開放口から押し込み装着して花差し具１８を構成する。ここで、上げ底容器Ａは表面が滑らかで滑り難い材質で形成するが、その他の材料に変更はない。
【実施例３】
【００２６】
本実施例３も実施例２同様に、縦長円筒２と上げ底容器６の結合に係る構造と網蓋構造
の変形と構成材料の変更であって、弾性を有する材料で成形した上げ底容器Ｂに、湧水管９と網蓋１０を一体化した網蓋構造体Ｂを挿入して構成する上げ底容器構造体に係る変形である。
【００２７】
実施例１に対して実施例３の変形した箇所を図７に示す。
同図で、（Ｃ）は実施例２と同じの縦長円筒Ａの外観図と平面図、（Ｄ）は上げ底容器
Ｂの正面図と平面図、（Ｅ）は網蓋構造体、（Ｇ）は網蓋構造体を上げ底容器Ｂに差込
装着した状態の正面図である。
図７に示したように実施例２と同じ構造の縦長円筒Ａに、弾性を有する材料で形成し上
面に同心円状の溝と中心を垂直に貫通する孔を備えた円錐台に直方体を２つ底面下で中
心孔を挟み平行に具備した上げ底容器Ｂに網蓋の中心部に貫通孔を設けて湧水管を下面
から貫通し一体化構造とした網蓋構造体を差込み装着した状態で、実施例２同様に縦長
円筒Ａの下端の開放口から押し込み装着して花差し具を構成する。
【実施例４】
【００２８】
本実施例４も実施例２、３同様に、縦長円筒２と上げ底容器６の結合に係る構造の変形
であって、図８に示したように、実施例１の縦長円筒２の外周面の下端部に縦長円筒の
中心をはさんで対称位置に円柱状の小突起をそれぞれ具備した縦長円筒Ｃに、実施例１
の上げ底容器６の内径を縦長円筒Ｃの外径に適合するように拡大するとともに、縦長円筒
Ｃの外周面の下端部に位置する２つの小突起に嵌合するＬ字状の溝を内周面の上端部に
備え、内側面が底面に近くなるほど側壁幅が厚くなるように傾斜面とした上げ底容器Ｃ
を嵌合装着して花差し具１８を構成する。網蓋１０は実施例１と同じ構造であり、縦長
円筒Ｃの内周面の下端部への螺合取り付けすることに変更はない。
【実施例５】
【００２９】
本実施例５は縦長円筒２の水位調節ダクト１１に係る構造の変形であって、図９に示
したように、実施例１の縦長円筒２から隔壁５を取り除き縦長円筒Ｅに変形し、水位調節
ダクト１１を半円パイプの上端を塞ぎ、平面部に水位調節孔７を設け、凸面部に縦長円筒
Ｅの連絡孔８を通る外径で雄ネジ構造を備えたパイプを取り付けて連絡孔の代替とし、当
該パイプの外周面の雄ネジ構造に（Ｊ）に示した弾性のある材料で成形した平ワッシャー
を取り付け、同じく（Ｊ）に示した雌ネジで縦長円筒Ｅに固定し、実施例１の縦長円筒２
の代替とした変形であり、図９で（Ｃ）は縦長円筒Ｅの外観図と平面図である。（Ｈ）は
半円パイプを使用して成形した水位調節ダクトＡの平面、正面、側面図である。（Ｊ）は
水位調節ダクトＡを縦長円筒Ｅに固定する雌ネジと平ワッシャー平面図と側面図である。
【００３０】
この縦長円筒と、水位調節ダクトに係る変形は、縦長円筒の製作を簡易にするための変形であって、その他の変形はなく、花差し具としての変更はない。ただ、この変更は、実施例２〜４のすべてに適用することが出来るので、自由な組み合わせの変形構造に対応することができる。
【実施例６】
【００３１】
本実施例６は、実施例１の縦長円筒２から水位調節ダクト１１、隔壁５、連絡孔８を除去するとともに、水位調節孔７よりも口径の大きい水位調節孔７Ａを縦長円筒２の側壁に複数設けた縦長円筒２の変形となる縦長円筒Ｄに、継ぎ円筒で使用する管接続部を下端に備えた連絡管を、縦長円筒Ｄの水位調節孔７Ａに挿入結合し、残りの水位調節孔７Ａには実施例１よりも口径が大きいゴム栓１５Ａを詰め、連絡管の管接続部を挿入結合する水位調節孔７Ａを高さの異なる水位調節孔７Ａに変えることで水位調節の仕組みを変更した花差し具Ｄについての変形である。
【００３２】
花差し具Ｄの外観図を図１０に、分解構成図を図１１に示す。
図９で、１は鍔円筒、２Ａは縦長円筒Ｄ、３は弾性体、４は廻り縁、６は上げ底容器、７Ａは水位調節孔、９は湧水管、１０は網蓋、１２は花入れ空間、１３はＵ字切り欠け、１４は老廃物沈殿空間、１５Ａはゴム栓、２３は管接続部、２４は連絡管である。
図１０で、（Ａ）は鍔円筒の外観図と正面図、（Ｂ）は弾性体の外観図と正面図、（Ｃ）は縦長円筒Ｄの外観図と平面図、（Ｄ）は上げ底容器の外観図と正面図、（Ｅ）は網蓋の平面図と正面図、（Ｆ）はゴム栓Ａの外観図、（Ｇ）は連絡管の外観図である。
【００３３】
この実施例６は、実施例１、２、３，４、５と異なり、管接続部２３が縦長円筒Ｄの外側面に位置するので、比較的大きな広口の花器に適用することが出来て、縦長円筒Ｄの構造が実施例１の縦長円筒２に比べて簡易であることから、条件を満足する場合は簡易に製作できる広口花器の花差し具Ｄとしての使用が見込まれる。また、実施例１と実施例２、３、４の縦長円筒と上げ底容器の結合の違いによる変形例は、当該花差し具Ｄにも適用することができるので、自由に組み合わせを変えた構造にすることが可能である。
【符号の説明】
【００３４】
１  鍔円筒
２  縦長円筒      
３  弾性体
４  廻り縁
５  隔壁
６  上げ底容器
７  水位調節孔
８  連絡孔
９  湧水管
１０  網蓋
１１  水位調節ダクト
１２  花入れ空間
１３  Ｕ字切り欠け
１４  老廃物沈殿空間
１５  ゴム栓
１６  花器
１７  花差し具の補助固定枠
１８  花差し具
１９  花入れ口
２０  密閉空間
２１  花差し具の補助継ぎ円筒
２２  接続円筒部
２３  連絡管
２４  管接続部
２５  花差し具の補助固定鍔枠
【図１】
2012213368.tif 000003
【図２】
2012213368.tif 000004
【図３】
2012213368.tif 000005
【図４】
2012213368.tif 000006
【図５】
2012213368.tif 000007
【図６】
2012213368.tif 000008
【図７】
2012213368.tif 000009
【図８】
2012213368.tif 000010
【図９】
2012213368.tif 000011
【図１０】
2012213368.tif 000012
【図１１】
2012213368.tif 000013
【図１２】
2012213368.tif 000014
【図１３】
2012213368.tif 000015
【図１４】
2012213368.tif 000016
【図１５】
2012213368.tif 000017
【図１６】
2012213368.tif 000018
【図１７】
2012213368.tif 000019